(57)【要約】【課題】比較的単純な作業で棚板を正確に所定の場所に固定する。【解決手段】方形状の棚板１１の側縁部を水平方向に支持する鉛直方向に設けられる組み立て式収納棚１０の側板１２は、棚板１１の厚さｔ1に相応する幅の凹溝１４が側板内面に水平方向に形成され、凹溝１４に貫通する１又は２以上の取付孔１６が形成され、かつ凹溝１４に棚板１１の側縁部を挿入させて取付孔１６に挿入させた雄ねじ１７を棚板１１の側縁部に螺着することにより棚板１１を支持可能に構成される。その凹溝１４は鉛直方向に所定の間隔をあけて複数形成され、凹溝１４が形成される部分の厚さが１５ｍｍ以上３０ｍｍ以下であって、かつ凹溝１４の深さｈが０．５ｍｍ以上２ｍｍ以下である。【選択図】  図１
2005342214.tif 000002
【特許請求の範囲】
【請求項１】
水平に設けられた棚板(11)の側縁部を支持する鉛直方向に設けられる組み立て式収納棚(10)の側板(12)において、
前記棚板(11)の厚さ(t1)に相応する幅(w4)の凹溝(14)が側板内面に水平方向に形成され、
前記凹溝(14)に貫通する１又は２以上の取付孔(16)が形成され、かつ
前記凹溝(14)に前記棚板(11)の側縁部を挿入させて前記取付孔(16)に挿入させた雄ねじ(17)を前記棚板(11)の側縁部に螺着することにより前記棚板(11)を支持可能に構成された
ことを特徴とする組み立て式収納棚の側板。
【請求項２】
凹溝(14)が鉛直方向に所定の間隔(S)をあけて複数形成された請求項１記載の組み立て式収納棚の側板。
【請求項３】
凹溝(14)が形成される部分の厚さ(t2)が１５ｍｍ以上３０ｍｍ以下であって、かつ前記凹溝(14)の深さ(h)が０．５ｍｍ以上２ｍｍ以下である請求項２記載の組み立て式収納棚の側板。
【発明の詳細な説明】
【技術分野】
【０００１】
本発明は、水平に設けられた棚板の側縁部を支持する鉛直方向に設けられる組み立て式収納棚の側板に関するものである。
【背景技術】
【０００２】
従来、組み立て式の収納棚として棚板と側板からなるものが知られており、棚板は主として方形状のものが用いられ、その側板はその棚板の側縁部を水平方向に支持するように鉛直方向に設けられる。そして、棚板と側板との連結方法としては、側板に貫通孔を形成し、棚板の側板側端面に袋ナットを埋め込んでおき、固定ねじを側板の貫通孔に通して棚板の袋ナットに螺合させて互いを連結させる方法が知られている。また、近年では、棚板や側板の材料として木質系樹脂材料が用いられることも多く、このような材料が用いられた場合のリサイクル処理を考慮して、別部材からなる連結部材を用いてその連結部材を棚板と側板の双方にねじ止めすることによりその連結部材を介して棚板と側板の双方を連結することも提案されている（例えば、特許文献１参照。）。
【特許文献１】特開２００３−１８０４５６号公報（特許請求の範囲）
【発明の開示】
【発明が解決しようとする課題】
【０００３】
しかし、固定ねじを側板の貫通孔に通して棚板の袋ナットに螺合させて互いを連結させる従来の方法では、固定ねじを螺着する際に袋ナットの正確な位置が確認できずにその螺合作業が比較的困難になる不具合がある。また、袋ナットを側板に埋め込むことが必要なことから部品点数の増加をもたらし、単価を押し上げる問題点もあった。この点を解消するために、袋ナットを埋め込むことをせずに、木材からなる棚板を用いて固定ねじとして木ねじを用い、その木ねじを側板の貫通孔に通して木材からなる棚板に直接螺合させることも考えられるが、この場合には木ねじを螺着する棚板の正確な位置が確認できないばかりでなく、木ねじは木材からなる棚板に任意の方向に螺合可能であることから、棚板を側板に対して直角に連結することが比較的困難になる不具合がある。
一方、連結部材を用いて棚板と側板を連結する方法では、別部材からなる連結部材必要とし、その連結部材は棚板と側板の双方にねじ止めする必要があることから、ねじ止め工数が前述した方法に比較して倍増し、部品点数と作業工数の増加から単価が著しく押し上げられる不具合がある。
本発明の目的は、比較的単純な作業で棚板を正確に所定の場所に固定し得る組み立て式収納棚の側板を提供することにある。
【課題を解決するための手段】
【０００４】
請求項１に係る発明は、図１に示すように、水平に設けられた棚板１１の側縁部を支持する鉛直方向に設けられる組み立て式収納棚１０の側板１２の改良である。
その特徴ある構成は、棚板１１の厚さｔ1に相応する幅ｗ4の凹溝１４が側板内面に水平方向に形成され、凹溝１４に貫通する１又は２以上の取付孔１６が形成され、かつ凹溝１４に棚板１１の側縁部を挿入させて取付孔１６に挿入させた雄ねじ１７を棚板１１の側縁部に螺着することにより棚板１１を支持可能に構成されたところにある。
この請求項１に記載された組み立て式収納棚の側板では、凹溝１４に棚板１１の側縁部を挿入させて棚板１１を支持するので、棚板１１を正確な位置に位置させた状態で雄ねじ１７を棚板１１の側縁部に螺着することができ、比較的単純な作業で棚板１１を正確に所定の場所に固定することができる。また、凹溝１４は棚板１１の厚さｔ1に相応する幅ｗ4を有するので、凹溝１４に端部が挿入された棚板１１は側板１２に対して略直角になり、比較的容易に側板１２に対して棚板１１を直角にすることができる。
【０００５】
請求項２に係る発明は、請求項１に係る発明であって、更に図５に示すように、凹溝１４が鉛直方向に所定の間隔Ｓをあけて複数形成された組み立て式収納棚の側板である。
この請求項２に記載された組み立て式収納棚の側板では、凹溝１４を複数形成することから、複数の棚板１１を支持することが可能になり、好みに応じて棚板１１の数を増減させることもでき、また形状や幅の異なる複数種類の棚板１１を支持させてそのデザイン性を向上させることもできる。
【０００６】
請求項３に係る発明は、請求項２に係る発明であって、凹溝１４が形成される部分の厚さｔ2が１５ｍｍ以上３０ｍｍ以下であって、かつ凹溝１４の深さｈが０．５ｍｍ以上２ｍｍ以下である組み立て式収納棚の側板である。
棚板１１が設けられていない箇所又は棚板１１が設けられていてもその幅が側板の幅より小さい場合には、収納棚１０が組み立てられた状態で凹溝１４が視認されることになるけれども、この請求項３に記載された組み立て式収納棚の側板では、凹溝１４が形成される部分の厚さｔ2が１５ｍｍ以上３０ｍｍ以下であって、かつ凹溝１４の深さｈが０．５ｍｍ以上２ｍｍ以下であるので、凹溝の深さｈが全体の厚さｔ2に対して占める割合が１４％未満と比較的少ない値となり、その凹溝１４が視認されることに起因して、美観が損ねられることを防止することができる。凹溝１４が形成される部分の厚さｔ2が１５ｍｍ未満であって凹溝１４の深さｈが２ｍｍを越える場合には、凹溝１４が視認されることに起因して得られた収納棚１０の美観が損ねられるおそれがある。また、凹溝１４が形成される部分の厚さｔ2が３０ｍｍを越えるにもかかわらず凹溝１４の深さｈが０．５ｍｍ未満であると、棚板１１を側板１２に対して直角に支持させることが困難になる。ここで、凹溝１４が形成される部分の厚さｔ2は１８ｍｍ以上２４ｍｍ以下であることが好ましく、この場合における凹溝１４の深さｈは１ｍｍ以上２ｍｍ以下であることが更に好ましい。
【発明の効果】
【０００７】
本発明の組み立て式収納棚の側板では、棚板の厚さに相応する幅の凹溝を側板内面に水平方向に形成し、その凹溝に貫通する１又は２以上の取付孔を形成し、凹溝に棚板の側縁部を挿入させて取付孔に挿入させた雄ねじを棚板の側縁部に螺着することにより棚板を支持可能に構成したので、凹溝に棚板の側縁部を挿入させて棚板を支持することにより棚板を正確な位置に位置させた状態で雄ねじを棚板の側縁部に螺着することができ、比較的単純な作業で棚板を正確に所定の場所に固定することができる。また、凹溝は棚板の厚さに相応する幅を有するので、凹溝に端部が挿入された棚板は側板に対して略直角になり、比較的容易に側板に対して棚板を直角にすることができる。
また、凹溝を鉛直方向に所定の間隔をあけて複数形成すれば、複数の棚板を支持することが可能になり、好みに応じて棚板の数を増減させることもでき、また形状や幅の異なる複数種類の棚板を支持させてそのデザイン性を向上させることもできる。そして、凹溝が形成される部分の厚さを１５ｍｍ以上３０ｍｍ以下とし、凹溝の深さを０．５ｍｍ以上２ｍｍ以下とすることにより、凹溝が視認されることに起因して美観が損ねられることを防止することができる。
【発明を実施するための最良の形態】
【０００８】
次に本発明を実施するための最良の形態を図面に基づいて説明する。
図１に示すように、組み立て式収納棚１０は複数枚の棚板１１と一対の側板１２を有する。棚板１１は木材からなりその厚さｔ1が１０ｍｍ以上２５ｍｍ以下であって、方形状のものと、方形状ではあるけれどもその１辺が外側に膨出するように湾曲して形成されたものが用いられる。図１における収納棚１０では、それぞれの厚さｔ1と長さＬが等しく、その幅が異なる４種類の棚板１１が用いられる場合を示す。そして、この組み立て式収納棚１０の側板１２は水平に設けられた棚板１１の側縁部を支持するように鉛直方向に設けられる。本発明はこのような組み立て式収納棚１０に用いられる側板１２であって、断面が方形状をなしその長さが異なる複数種類の角棒１２ａ，１２ｂ，１２ｃを同一平面内で組み合わせることにより作られる。
【０００９】
図２及び図３に詳しく示すように、側板１２を構成する複数種類の角棒１２ａ，１２ｂ，１２ｃは、鉛直方向に延びて両側部に位置する一対の側棒１２ａ，１２ａと、その一対の側棒１２ａ，１２ａを水平方向に所定の間隔をあけて連結するように一対の側棒１２ａ，１２ａの間に水平方向に延びて設けられかつ鉛直方向に所定の間隔をあけてその両端が一対の側棒１２ａ，１２ａにそれぞれ固定された４本の連結棒１２ｂと、その４本の連結棒１２ｂを所定の間隔をあけて連結するように連結棒１２ｂと連結棒１２ｂの間に鉛直方向に延びてかつ連結棒１２ｂの長手方向に所定の間隔をあけて設けられその両端が上下の連結棒１２にそれぞれ固定された６本の短棒１２ｃとに分けられる。ここで側棒１２ａと連結棒１２ｂは同一の断面形状を有し、その断面における厚さｔ2（図１）が１５ｍｍ以上３０ｍｍ以下であって、その幅ｗ2が２０ｍｍ以上６０ｍｍ以下に設定される。一方、短棒１２ｃの断面はその厚さが側棒１２ａ及び連結棒１２ｂにおける厚さｔ2と同一に形成されるけれども、その幅ｗ3は側棒１２ａ及び連結棒１２ｂの幅ｗ2より狭く１５ｍｍ以上５５ｍｍ以下に形成される。
【００１０】
側棒１２ａと連結棒１２ｂ及び連結棒１２ｂと短棒１２ｃの固定は、それぞれ係止ピン１３（図５）を介して接着することにより行われる。連結棒１２ｂに短棒１２ｃの端部が固定される例を代表して説明すると、図５の拡大断面図に示すように、短棒１２ｃの端部にはその端縁から軸心に沿って第１ピン穴１２ｄが形成され、その第１ピン穴１２ｄにその穴１２ｄと同一の外形であってその第１ピン穴１２ｄの深さより長い全長を有する係止ピン１３を挿入して接着させる。その係止ピン１３に対応する連結棒１２ｂにも第２ピン穴１２ｅが形成され短棒１２ｃの端縁から突出した係止ピン１３の端部を連結棒１２ｂに形成された第２ピン穴１２ｅに挿入して接着することにより連結棒１２ｂに短棒１２ｃの端部を固定する。このように係止ピン１３を介して接着固定することにより連結棒１２ｂの所定の位置に短棒１２ｃの端部を比較的正確かつ強固に固定することができるものである。
【００１１】
上述したように複数の角棒１２ａ，１２ｂ，１２ｃを組み合わせることにより得られた本発明の側板１２における特徴ある構成は、棚板１１の厚さｔ1に相応する幅ｗ4（図４）の凹溝１４が側板１２内面に水平方向に形成されたところにある。凹溝１４が形成される部分の厚さは角棒の厚さｔ2に相当してその部分の厚さｔ2は１５ｍｍ以上３０ｍｍ以下である。凹溝１４の幅ｗ4は棚板１１の厚さｔ1に相当し棚板１１の厚さｔ1である１０ｍｍ以上２５ｍｍ以下に形成される。そして凹溝１４の深さｈ（図５）は０．５ｍｍ以上２ｍｍ以下になるように形成される。この実施の形態における凹溝１４は、鉛直方向に所定の間隔Ｓ（図３）をあけて複数形成され、連結棒１２ｂが位置する箇所とその連結棒１２ｂと連結棒１２ｂの間に２本ずつそれぞれ凹溝１４が形成される。
【００１２】
また、本発明の側板１２には、凹溝１４に貫通する１又は２以上の取付孔１６が形成される。図に示す側板１２では、側棒１２ａと短棒１２ｃが位置する部分に、１つの凹溝１４に対して４個の取付孔１６が形成される例を示す。そして、図１に示すように、凹溝１４に棚板１１の側縁部を挿入させて取付孔１６に挿入させた木ねじである雄ねじ１７を木材からなる棚板１１の側縁部に螺着することにより棚板１１を支持可能に構成される。
【００１３】
このように構成された組み立て式収納棚１０の側板１２では、凹溝１４に棚板１１の側縁部を挿入させて棚板１１を支持するので、棚板１１を正確な位置に位置させた状態で雄ねじ１７を棚板１１の側縁部に螺着することができ、比較的単純な作業で棚板１１を正確に所定の場所に固定することができる。また、凹溝１４は棚板１１の厚さｔ1に相応する幅ｗ4を有するので、凹溝１４に端部が挿入された棚板１１は側板１２に対して略直角になり、比較的容易に側板１２に対して棚板１１を直角にすることができる。このため、従来直角を出すための袋ナットが不要となり、雄ねじ１７として木ねじを用いて木材からなる棚板１１にその雄ねじ１７を螺合させたとしても棚板１１を直角に側板１２に固定することができる。そして、本発明は従来技術で必要とした連結部材を用いることをせず、また袋ナットも不要にすることができることから、部品点数を減少させることができ、これにより収納棚１０自体の単価が押し上げられることを有効に防止することができる。
【図面の簡単な説明】
【００１４】
【図１】本発明実施形態の側板を有する組み立て式収納棚の組み立て状態を示す斜視図である。
【図２】その側板の正面図である。
【図３】その側板の背面図である。
【図４】図３のＣ−Ｃ部の拡大図である。
【図５】図４のＤ−Ｄ線断面である。
【符号の説明】
【００１５】
１０  組み立て式収納棚
１１  棚板
１２  側板
１４  凹溝
１６  取付孔
１７  雄ねじ
ｔ1   棚板の厚さ
ｔ2   凹溝が形成される部分の厚さ
ｈ    凹溝の深さ
ｗ4   凹溝の幅
Ｓ    所定の間隔
【図１】
2005342214.tif 000003
【図２】
2005342214.tif 000004
【図３】
2005342214.tif 000005
【図４】
2005342214.tif 000006
【図５】
2005342214.tif 000007